(57)【要約】【目的】携帯電話内蔵カメラ用として好適な三脚を提供する。【構成】携帯電話（１）を乗せる置き台（３）と、携帯電話を安定的に支持する支持手段（４）と、前記置き台の下面から伸びる少なくとも３本の伸縮式脚部（５）とからなる。携帯電話（１）のサイズに合わせて支持手段（４）は調節可能である。例えば、支持手段（４）は置き台の左右端部に位置する壁であり、置き台（３）に設けられたレール（３２）に沿って携帯電話の長手方向及びそれと垂直な方向にスライド可能である。【選択図】　図１
2004101749.tif 000002
【特許請求の範囲】
【請求項１】
携帯電話（２）を乗せる置き台（３）と、携帯電話を安定的に支持する支持手段（４）と、前記置き台（３）の下面から伸びる少なくとも３本の伸縮式脚部（５）とからなることを特徴とする携帯電話内蔵カメラ用三脚（１）。
【請求項２】
携帯電話（２）のサイズに合わせて支持手段（４）が調節可能である請求項１記載の携帯電話内蔵カメラ用三脚。
【請求項３】
支持手段（４）が置き台の左右端部に位置する壁であり、置き台（３）に設けられたレール（３２）に沿って携帯電話の長手方向及びそれと垂直な方向にスライド可能である請求項２記載の携帯電話内蔵カメラ用三脚。
【請求項４】
支持手段（４Ａ）が２本で一対のテープ状の紐で少なくとも一対設けられていて、その一端（４２）が置き台（３）の左右端部に固定され、他端（４３）が相互付着可能な遊端となっている請求項２記載の携帯電話内蔵カメラ用三脚。
【請求項５】
支持手段（４Ｂ）が伸縮可能なゴムテープ（４６）であり、その両端（４５）が置き台（３）の左右端部に固定されている請求項２記載の携帯電話内蔵カメラ用三脚。
【発明の詳細な説明】
【０００１】
【発明の属する技術分野】
本発明は携帯電話内蔵カメラ用の三脚に関する。
【０００２】
【従来の技術】
近年、カメラを内蔵した携帯電話が増えている。このようなカメラにはタイマー機能が付いているものがあり、机の上などに置いて撮影するときなどに使用されている。しかし、野外などで平坦な場所がないとき、携帯電話のように不安定な形状のものは置く場所を探すのに苦労する。このようなとき、携帯電話専用の三脚があれば便利であるが、出願人の知る限り、今のところそのような三脚は知られていない。
【０００３】
【発明が解決しようとする課題】
一般のカメラやビデオカメラ用の三脚は周知であるが、そのままでは、大きさも形状も構造も異なる携帯電話内蔵カメラには転用することはできない。本発明は、携帯電話内蔵カメラ用として好適な三脚を提供することを目的とする。
【０００４】
【課題を解決するための手段】
本発明は、携帯電話を乗せる置き台と、携帯電話を安定的に支持する支持手段と、前記置き台の下面から伸びる少なくとも３本の伸縮式脚部とからなることを特徴とする携帯電話内蔵カメラ用の三脚である。
【０００５】
【発明の実施の態様】
前記支持手段は、携帯電話のサイズに合わせて位置や長さが調節可能であることが好ましい。
【０００６】
例えば、支持手段が置き台の左右端部に位置する壁であるとき、そのような壁は携帯電話の前後方向及びそれと垂直な方向にスライド可能とすることが好ましい。
【０００７】
支持手段が紐である場合、一端が置き台の左右端部に固定され、他端が遊端となっている２本で一対のテープ状のものとすることができる。通常は一対でよいが二対以上設けてもよい。遊端同士は面ファスナを取り付けておき、相互に付着可能とする。面ファスナ以外にはボタン、スライドファスナなどで付着させてもよい。
【０００８】
さらに支持手段の紐を、両端が置き台の左右端部に固定された伸縮可能なゴムテープとすることもできる。その場合はテープを広げて携帯電話をそのテープの中に差し込むことになる。ゴムテープは、通常は１本でよいが２本以上設けてもよい。
【０００９】
【実施例】
以下、添付の図面に基づいて本発明の実施例を説明する。
【００１０】
図１は本発明第１実施例に係る携帯電話内蔵カメラ用三脚の斜視図である。図２（ａ）は平面図、（ｂ）は正面図、（ｃ）は底面図、（ｄ）は側面図、（ｅ）は断面図である。
【００１１】
この三脚１は、携帯電話２を乗せる置き台３と、携帯電話を安定的に支持する支持手段４と、前記置き台の下面から伸びる少なくとも３本の伸縮式脚部５からなる。内蔵カメラ６を有する携帯電話２は、三脚の置き台３の上に載置され、その状態でタイマー撮影する。
【００１２】
置き台３は、中央の平板３１と、その両側に位置するレール３２からなる。レール３２は、置き台３の表裏に設けられており、断面が波状で、前後方向には直線状に延びている。置き台３は金属又は硬質プラスチックから形成するのが好ましい。
【００１３】
支持手段４は、この実施例では、このレール３２の上を前後方向にスライドする左右側部の壁である。側部壁４の底部４１は前記レール３２を上下から挟み込むような断面形状を有している。したがって、側部壁４はレール３２に沿って置き台３の前後方向（携帯電話２の長手方向）にスライド可能である。また、この左右壁４を手で外方に引っ張ったり、内方へ押し込んだりすることにより、波状突起の１つ又はそれ以上を乗り越えさせることができるので、左右方向へも伸縮が可能である。このように、波状突起を乗り越える必要があるので、左右壁はある程度の柔軟性を有することが必要であり、例えばＡＢＳ樹脂を使用することができる。
【００１４】
脚部５は、伸縮式であり、置き台３の下面から３本伸びている。脚部の付け根５１はユニバーサルジョイントとなっており、脚部先端の位置設定が自由である。不使用時には、図２（ｂ）（ｃ）に示すように、置き台３の下面に密着させるような形で収容することができる。
【００１５】
図３は、別の支持手段４Ａを示す第２実施例である。この支持手段４Ａは一端４２が置き台の左右端部に固定され、他端４３が遊端となっている２本で一対のテープ状のものである。遊端同士は面ファスナ４４を取り付けられており、相互に付着可能である。携帯電話を取り付けた後２本のテープで縛るようにして固定する。
【００１６】
図４は、さらに別の支持手段４Ｂを示す第３実施例である。この支持手段４Ｂは、両端４５が置き台３の左右端部に固定された１本の伸縮可能なゴムテープ４６である。携帯電話は、テープを広げてその中に差し込むことにより固定する。
【００１７】
【発明の効果】
本発明によれば、携帯電話のように小さくてしかも不安定な形状ものを安定的に支持させることができる。したがって、平坦な場所のない野外などでも携帯電話用の三脚として使用できる。
【図面の簡単な説明】
【図１】本発明第１実施例に係る携帯電話内蔵カメラ用三脚の斜視図である。
【図２】（ａ）は平面図、（ｂ）は正面図、（ｃ）は底面図、（ｄ）は側面図、（ｅ）は断面図である。
【図３】本発明第２実施例に係る携帯電話内蔵カメラ用三脚の正面図である。
【図４】本発明第３実施例に係る携帯電話内蔵カメラ用三脚の正面図である。
【符号の説明】
１　　　　　　　三脚
２　　　　　　　携帯電話
３　　　　　　　置き台
４　　　　　　　支持手段（左右壁）
４Ａ　　　　　支持手段（２本のテープ）
４Ｂ　　　　　支持手段（１本のゴムテープ）
５　　　　　　　伸縮式脚部
６　　　　　　　内蔵カメラ
３２　　　　　レール
【図１】
2004101749.tif 000003
【図２】
2004101749.tif 000004
【図３】
2004101749.tif 000005
【図４】
2004101749.tif 000006